(57)【要約】【課題】  安定して支持できるものでありながら、コンパクトで取扱性に優れた苗植付装置用のスタンドを提供する。【解決手段】  走行機体に対してリンク機構６を介して取り付けた苗植付装置７を、リンク機構６から取り外した状態で支持する苗植付装置用のスタンドであって、苗植付装置７におけるリンク機構６との連結部位に近い前部と、その連結部位から離れた後部とを支持フレーム部分２３Ａ,２３Ｂで支持するとともに、支持フレーム部分２３Ａ,２３Ｂを前後向きフレーム部分２３Ｃで一体的に連結してある。【選択図】        図４
2005295847.tif 000002
【特許請求の範囲】
【請求項１】
走行機体に対して昇降機構を介して取り付けた苗植付装置を、前記昇降機構から取り外した状態で支持する苗植付装置用のスタンドであって、
前記苗植付装置における前記昇降機構との連結部位に近い前部と、その連結部位から離れた後部とに掛けての複数箇所を複数個の支持フレーム部分で支持するとともに、前記支持フレーム部分を前後向きフレーム部分で連結してある苗植付装置用のスタンド。
【請求項２】
前記苗植付装置に、前記複数個の支持フレーム部分と係合連結する複数個のブラケット部を形成し、前記支持フレーム部分の前記ブラケット部に対する係合解除方向を、前記ブラケット部毎に異なる方向となるように設定してある請求項1記載の苗植付装置用のスタンド。
【請求項３】
走行機体に対して昇降機構を介して、整地フロートを備えた苗植付装置を昇降自在に取付構成するとともに、前記昇降機構から取り外した状態で支持する苗植付装置用のスタンドであって、
前記苗植付装置における前記昇降機構との連結部位側の前部と、その連結部位から離れた後部とに掛けての複数箇所を複数個の支持フレーム部分で支持するとともに、前記支持フレーム部分を前後向きフレーム部分で連結して、前記整地フロートを前記苗植付装置の横方向に渡した支点パイプに揺動自在に支持するとともに、前記複数個の支持フレーム部分のうちの一つの支持フレーム部分を前記支点パイプに対して横向きに係合支持させてある苗植付装置用のスタンド。
【請求項４】
前記複数個の支持フレーム部分のうちの一部の支持フレーム部分に、その支持フレーム部分が前記苗植付装置を支持する状態を維持する離脱防止手段を設けている請求項２又は３に記載の苗植付装置用のスタンド。
【請求項５】
請求項２〜４に記載の苗植付装置用のスタンドにおいて、複数箇所の接地部を形成し、その接地部のうちの一部の接地部をキャスタ車輪で構成してある苗植付装置用のスタンド。
【請求項６】
請求項２〜５のうちのすくなくとも一つに記載の苗植付装置用のスタンドにおいて、複数箇所の接地部を形成し、その接地部のうちの一部の接地部を前記苗植付装置の重心近くに配置してある苗植付装置用のスタンド。
【発明の詳細な説明】
【技術分野】
【０００１】
本発明は、走行機体に対して昇降機構を介して取り付けた苗植付装置を、前記昇降機構から取り外した状態で支持する苗植付装置用のスタンドに関する。
【背景技術】
【０００２】
苗植付装置用のスタンドとしては、苗植付装置の前後部に、接地支持用の前後支持フレーム部分を配置して、夫々、独立して接地姿勢と格納姿勢とに切換可能に構成したものがある。（特許文献１参照）。
【０００３】
【特許文献１】特開２００２−３４５３１２号公報（段落番号〔００１９〕、図２〜図４）
【発明の開示】
【発明が解決しようとする課題】
【０００４】
上記のような前後支持フレーム部分は、個々に独立して自立することになるので、スタンドとしての剛性が低く、苗植付装置の支持が安定しない問題があった。また、安定したスタンドとするには、個々の支持フレーム部分を強度の高いものにする必要があり、そうすると、部材が大きくなり支持フレーム部分自体も大型化するものとなり、取扱性を阻害するものとなっていた。
【０００５】
本発明の目的は、安定して支持できるものでありながら、コンパクトで取扱性に優れた苗植付装置用のスタンドを提供する点にある。
【課題を解決するための手段】
【０００６】
〔構成〕
請求項１に係る発明の特徴構成は、前記苗植付装置における前記昇降機構との連結部位に近い前部と、その連結部位から離れた後部とに掛けての複数箇所を複数個の支持フレーム部分で支持するとともに、前記支持フレーム部分を前後向きフレーム部分で連結してある点にあり、その作用効果は次の通りである。
【０００７】
〔作用〕
つまり、複数の支持フレーム部分を前後向き支持フレーム部分で連結一体化するので、スタンドとしての剛性を高めることができ、支持フレーム部分を必要以上に強度を向上させる必要はない。
【０００８】
〔発明の効果〕
したがって、個々の支持フレーム部分、及び、前後向き支持フレーム部分を大きな部材を使用することなく、剛性を高めたものにでき、コンパクトで取扱性に優れたスタンドを提供できるに至った。
【０００９】
〔構成〕
本発明のうちの請求項２記載の発明では、前記苗植付装置に、前記複数個の支持フレーム部分と係合連結する複数個のブラケット部を形成し、前記支持フレーム部分の前記ブラケット部に対する係合解除方向を、前記ブラケット部毎に異なる方向となるように設定してある点にあり、その作用効果は次の通りである。
【００１０】
〔作用〕
請求項１に係る発明に対応する作用に加えて次のような作用もある。つまり、前記支持フレーム部分の前記ブラケット部に対する係合解除方向を、前記ブラケット部毎に異なる方向となるように設定してあるので、夫々の支持フレームのブラケット部に係合した部分が、他の支持フレーム部の外れ防止機能を発揮するところから、全ての支持フレーム部分とブラケット部との係合部位に外れ防止具を施す必要がなく、外れ防止具を施す箇所を低減することができる。また、外れ防止具を施す箇所を低減することができない場合でも、簡易な外れ防止具でよい。
【００１１】
〔効果〕
したがって、外れ防止に係る構造を簡素なものできる。
【００１２】
〔構成〕
本発明のうちの請求項３記載の発明では、走行機体に対して昇降機構を介して、整地フロートを備えた苗植付装置を昇降自在に取付構成するとともに、前記昇降機構から取り外した状態で支持する苗植付装置用のスタンドであって、
前記苗植付装置における前記昇降機構との連結部位側の前部と、その連結部位から離れた後部とに掛けての複数箇所を複数個の支持フレーム部分で支持するとともに、前記支持フレーム部分を前後向きフレーム部分で連結して、前記整地フロートを前記苗植付装置の横方向に渡した支点パイプに揺動自在に支持するとともに、前記複数個の支持フレーム部分のうちの一つの支持フレーム部分を前記支点パイプに対して横向きに係合支持させてある点にあり、その作用効果は次の通りである。
【００１３】
〔作用効果〕
請求項１に係る発明に対応する作用に加えて次のような作用もある。つまり、支持フレーム部分を支点パイプに係合させる構成を採ることによって、支持フレーム部分を苗植付装置に係合させるためのブラケット部をあらたに設ける必要がなく、支点パイプを兼用化できる。
しかも、支点パイプは整地フロートを支持するものである為、支持フレーム部分を係合する相手側の部材として十分な強度を備えている。
【００１４】
〔構成〕
本発明のうちの請求項４記載の発明では、複数個の支持フレーム部分のうちの一部の支持フレーム部分に、その支持フレーム部分が前記苗植付装置を支持する状態を維持する離脱防止手段を設けている点にあり、その作用効果は次の通りである。
【００１５】
〔作用効果〕
請求項１に係る発明に対応する作用に加えて次のような作用もある。つまり、離脱防止手段によって苗植付装置と支持フレーム部分との取付状態を維持するとともに、離脱防止手段を作用解除させることにより、苗植付装置と支持フレーム部分との取付状態を解除できる。そして、離脱防止手段を支持フレーム部分の一部にだけ設けてあるので、苗植付装置と支持フレーム部分とを連結解除するのに、全ての支持フレーム部分について離脱防止手段を機能させる操作をする必要がなく、連結解除操作を迅速に行うことができる。
【００１６】
〔構成〕
本発明のうちの請求項５記載の発明では、前記スタンドにおいて、複数箇所の接地部を形成し、その接地部のうちの一部の接地部をキャスタ車輪で構成してある点にあり、その作用効果は次の通りである。
【００１７】
〔作用効果〕
請求項１に係る発明に対応する作用に加えて次のような作用もある。つまり、全ての接地部をキャスター車輪にすると、スタンドを移動いない状態に固定するには、夫々のキャスター車輪にロック機構を必要とすることになり、スタンドの移動固定を切換える度に、全てのロック機構への操作を必要として、操作負担が増大する。これに対して、上記したように構成したので、キャスター車輪を備えない接地部が接地状態で移動抵抗力を発揮することになり、キャスター車輪に対してロック機構を必要としない、或いは、ロック機構を設ける数を減らすことができる。つまり、キャスター車輪を備えない接地部がロック機構の代わりを行うものである。
一方、キャスター車輪を備えているので、キャスター車輪を備えない接地部を持ち上げる等の接地解除状態に切り換えることによって、キャスター車輪を利用してスタンドの移動が容易に行える。
【００１８】
〔構成〕
本発明のうちの請求項６記載の発明では、複数箇所の接地部を形成し、その接地部のうちの一部の接地部を前記苗植付装置の重心近くに配置してある点にあり、その作用効果は次の通りである。
【００１９】
〔作用効果〕
請求項１に係る発明に対応する作用に加えて次のような作用もある。つまり、メインテナンス等の作業時に接地部を持ち上げる場合には、苗植付装置の重心位置に近接した接地部を接地させた状態でその重心位置から離れた側の接地部を持ち上げることによって、簡単にスタンドの一方側を持ち上げて、僅かに、スタンド位置を移動させたり、変更する場合に便利である。
【発明を実施するための最良の形態】
【００２０】
（第１実施形態）
以下に、本発明の実施の形態を図面に基づいて説明する。
図１、図２に示すように、操向操作自在な左右一対の前輪１及び左右一対の後輪２を備えた走行機体の前部に、エンジン３及びミッションケース４を備えて、機体の中央部に運転部５を形成し、機体の後部に昇降機構としてのリンク機構６を介して苗植付装置７を昇降操作自在に連結して乗用型田植機を構成してある。苗植付装置７は６条植えに構成されており、３個の植付伝動ケース８、植付伝動ケース８の左右両側に回転駆動自在に支持される回転ケース９、回転ケース９の両端に配備される一対の植付爪１０、３個の整地フロート１１、及び苗載台１６等によって構成してある。
【００２１】
図１、図４〜図６示すように、ＰＴＯ入力軸１３に入力された動力を３個の植付伝動ケース８に伝達するフィードケース１４は、苗載台１６を往復横送りするための横送り駆動軸１７と、横送りのストロークエンドにて苗載台１６の苗植付装置を縦送りするための縦送り軸１８とを備えている。尚、１２は後輪２を支承する後車軸ケースである。
【００２２】
図４、図６に示すように、フィードケース１４及び３個の植付伝動ケース８は、これらに亘ってボルト連結された横長角筒状の植付フレーム１９で相互に連結されており、この植付フレーム１９の両端に取付けた板ブラケット２０，２０に亘って架設したパイプ材で成る支点パイプ２１に、３個の整地フロート１１を支持するアーム部材２２を溶接によって連結一体化してある。
【００２３】
次に、苗植付装置７をリンク機構６より取外した状態で支持するスタンドＡの構成について説明する。図４〜図６に示すように、スタンドＡは、前後の縦向き姿勢の支持フレーム部分２３Ａ、２３Ｂとそれらの前後支持フレーム部分を連結する前後向き支持フレーム部分２３Ｃとで構成されている。各支持フレーム部分２３Ａ、２３Ｂ、２３Ｃは単一の部材を折り曲げて一体形成されている。
【００２４】
図４〜図８に示すように、植付フレーム１９の前面に前ブラケット部２４Ａを取り付け、前ブラケット部２４Ａの横側面に前支持フレーム部分２３Ａの上端を差し込み係合する係合孔を形成してある。前支持フレーム部分２３Ａは、縦向き姿勢の縦向き部分２３ａとその上方において折り曲げ形成されている横向き部分２３ｂとに曲げ形成されており、横向き部分２３ｂの先端部が前ブラケット部２４Ａの係合孔に対して横方向から抜差し自在に係合されている。
【００２５】
図４〜図８に示すように、植付伝動ケース８の後端に後ブラケット部２４Ｂを設ける。後支持フレーム部分２３Ｂは、縦向き部分だけで構成されており、その縦向き部分の上端を後ブラケット部２４Ｂに対して下から差し込み係合させる構成となっている。後ブラケット部２４Ｂでは、縦向き部分を差し込み止め付けピン（離脱防止手段の一例）２５で止め付け固定するようになっている。このように、前後ブラケット部２４Ａ、２４Ｂでの支持フレーム部分２３Ａ、２３Ｂの差込方向が異なるので、ブラケット部との連結固定構造を簡易なものにできる。一方、前ブラケット部２４Ａでは差し込み係合させるだけで、止め付けピン２５で止めつける構成は採っていない。
【００２６】
前支持フレーム部分２３Ａと前後向き支持フレーム部分２３Ｃとの連結位置に車輪２６を取り付けるとともに、後支持フレーム部分２３Ｂと前後向きフレーム部分２３Ｃとの連結部位を接地させて接地部ｃを構成している。
上記した前後支持フレーム部分２３Ａ、２３Ｂの車輪２６と前記接地部ｃとの接地位置は、車輪２６が苗植付装置７の重心Ｘに近い方に配置してある。
このように、後支持フレーム部分２３Ｂの下端を接地させる構成となっているので、スタンドＡの移動を阻止する為に車輪２６をロックする必要はなく、スタンドＡを移動させる場合には接地部ｃを持ち上げて移動させることができる。持ち上げる際に、苗植付装置７の重心Ｘ位置に近接して車輪２６が配置してあるので、持ち上げやすい。
上記したスタンドＡは、整地フロート１１のうちの左右サイドフロートの横側方に配置され、左右のスタンドＡで支持するように構成されている。
【００２７】
（第２実施形態）
主として、第１実施形態とは異なる部分を説明する。図１０に示すように、各支持フレーム部分２３Ａ、２３Ｂ、２３Ｃは単一の部材を折り曲げて一体形成されている。この場合には、車輪２６は使用されてはいず、前後向き支持フレーム部分２３Ｃを接地させて、自立させる構成を採っている。
【００２８】
前支持フレーム部分２３Ａの苗植付装置７に対する取付位置は、整地フロート１１を支持するアーム部材２２を支持する支点パイプ２１に定めている。つまり、支点パイプ２１の横向きに開口する開口内に前支持フレーム部分２３Ａの横向き部分を差込み係合させることができる。後支持フレーム部分２３Ｂは第１実施形態で示した場合と同様に、植付伝動ケース８から後方に延出された後端ブラケット部２４Ｂに下方から差し込み係合させる構成を採っている。
【００２９】
一方、図９に示すように、後支持フレーム部分２３Ｂの上端には、トグルリング（離脱防止手段の一例）２７が取り付けられている。このトグルリング２７は、左右両端部を後支持フレーム部分２３Ｂの両側面に差し込み係合させて、取り付けられている。
トグルリング２７の左右両端部の後支持フレーム部分２３Ｂへの係合部分は、図示していないが、その後支持フレーム部分２３Ｂの側面に対して直交する状態にある。その直交する部分の軸芯ａ，ｂは、同一軸芯上にはなく、上下に位置ズレする状態で設けてある。
【００３０】
このように、軸芯ａ、ｂが位置ズレを持って取付られているので、図９（ロ）に示すように、トグルリング２７が横向きに張り出した非作用姿勢においては、トグルリング２７はその姿勢より回動しにくい構成となっている。そして、図９（イ）及び図１０に示すように、上向きに立ち上がる作用姿勢に切り換えるには、人為力を加えて強制的に立ち上がらせることによって、作用姿勢とすることができる。一旦作用姿勢に切り換わると、軸芯ａ、ｂの位置ズレによって、立ち上がり作用姿勢が維持されて、容易には非作用姿勢に切り換わらない構成となっている。
【００３１】
以上のように構成されたトグルリング２７を、後支持フレーム部分２３Ｂの上端を後ブラケット部２４Ｂに差し込んだ状態で、非作用姿勢にあるトグルリング２７を持ち上げて作用姿勢に切換え、その作用姿勢にあるトグルリング２７を後ブラケット部２４Ｂの上面に係止することによって、後支持フレーム部分２３Ｂのぬけ止め構造を構成できる。
【００３２】
（その他の実施形態）
苗植付装置７をリンク機構６に対して取付る場合の構成について説明する。図４に示すように、リンク機構６の後リンク６Ａの上端に下向きに凹入する係合溝６ａを設けてある。一方、苗植付装置７を支持する連結フレーム２８を設けてあり，連結フレーム２８の両横側面に係合ピン２８ａが突設され、この係合ピン２８ａが後リンク６Ａの係合溝６ａに上から係合して、苗植付装置７がリンク機構６に支持されることになる。
【００３３】
連結フレーム２８は、下端にボス２８Ａを有してあり、このボス２８Ａをフィードケース１４から延出されたローリング軸２９に外嵌し、このローリング軸２９の軸芯周りで苗植付装置７をローリング自在に構成してある。図３に示めすように、苗植付装置７を連結フレーム２８に対して強制的にローリング作動させて、ローリング姿勢で植付作業を行えるローリング機構を備えており、苗植付装置７を強制的に駆動するローリングモータ２９を設けている。
【００３４】
ローリングモータ２９の取付位置は、苗載台１６の背面側で連結フレーム２８の後方側に設置してある。また、運転部３０の後方に配置してある施肥用粉粒体の貯留ホッパ３１も出来るだけ低い位置に設けてある。また、苗載台１６の上端位置についても工夫が凝らされている。
このような構成によって、苗植付装置７をリンク機構６に取り付ける際に、後リンク６Ａの係合溝６ａと連結フレーム２８の係合ピン２８ａの位置を運転部３０に座って後向きになった運転者が見通すことができるように、ローリングモータ２９や貯留ホッパ３１、苗載台１６の上端位置を支障ない位置に配置してある。
【００３５】
次に、整地フロート１１の構成について説明する。整地フロート１１の材料を透明材か半透明材で製造する。そうすると、洗車する際に、上から整地フロート１１の下面に付着した泥を視認することができ、作業が容易になる。
【００３６】
〔別実施形態〕
（１）  苗植付装置７をスタンドＡで支持する箇所を前後２箇所にブラケット部２４Ａ、２４Ｂを設けて構成しているが、３箇所以上設けてもよい。
（２）  前後支持フレーム部分２３Ａ，Ｂを連結する前後向き支持フレーム部分２３Ｃは、前後支持フレーム部分２３Ａ，Ｂと一体で形成する必要はなく、前後支持フレーム部分２３Ａ，Ｂに対して前後向き支持フレーム部分２３Ｃをボルト等の連結具を介して連結して構成してもよい。
（３）  前後支持フレーム部分２３Ａ，Ｂを前後ブラケット部２４Ａ，Ｂに連係するのに、前支持フレーム部分２３Ａを横から差し込み、後支持フレーム部分２３Ｂを下から差し込む構成を採用することによって、前後支持フレーム部分２３Ａ，Ｂをブラケット部２４Ａ，Ｂに連結固定する箇所を一箇所にできるものであるが、前後の支持フレーム部分２３Ａ，Ｂを異なる方向から差し込む形態が採れれば、上記した構成に限定されない。
（４）  離脱防止手段としては、ボルトであってもよく、上記した係合ピンやトグルリングに限定されない。
（５）  図１１に示すように、車輪２６の代わりに、キャスター車輪３３を装着してもよい。
【図面の簡単な説明】
【００３７】
【図１】乗用型田植機の側面図
【図２】乗用型田植機の平面図
【図３】苗植付装置の正面図
【図４】スタンドで支持した苗植付装置と運転者の目線との関係を示す側面図
【図５】苗植付装置をスタンドで支持した状態を示す側面図
【図６】苗植付装置を支持するスタンドの状態を示す平面図
【図７】苗植付装置をスタンドで支持した状態を示す正面図
【図８】苗植付装置を支持するスタンドを示す斜視図
【図９】離脱防止手段の一例であるトグルリングを示し、（イ）  斜視図（ロ）  背面図
【図１０】苗植付装置を支持するスタンドの別実施構造を示す斜視図
【図１１】車輪をキャスター車輪に変更したものを示し、スタンドに支持された苗植付装置を示す側面図
【符号の説明】
【００３８】
６              昇降機構
７              苗植付装置
１１            整地フロート
２１            支点パイプ
２３Ａ,２３Ｂ  支持フレーム部分
２３Ｃ        前後向きフレーム部分
２４Ａ,２４Ｂ  ブラケット部
２５,２７        離脱防止手段
２６，３３      車輪（キャスター車輪）
ｃ            接地部
Ｘ            苗植付装置の重心
【図１】
2005295847.tif 000003
【図２】
2005295847.tif 000004
【図３】
2005295847.tif 000005
【図４】
2005295847.tif 000006
【図５】
2005295847.tif 000007
【図６】
2005295847.tif 000008
【図７】
2005295847.tif 000009
【図８】
2005295847.tif 000010
【図９】
2005295847.tif 000011
【図１０】
2005295847.tif 000012
【図１１】
2005295847.tif 000013